(57)【要約】      （修正有）【課題】ケーブルの挿入作業性の低下を抑制しつつ、カバー本体がケーブルから容易に脱落してしまうことを抑制可能なケーブルカバーを提供する。【解決手段】弾性変形可能な材質にて構成されたカバー本体２は、ケーブルを幅方向から挟み込んだ状態で当該ケーブルが収納される収納空間３を有するとともに、当該収納空間３の内壁が当該ケーブルに接触することにより当該ケーブルに装着される。収納空間３は、カバー本体２の一端から他端まで貫通する貫通穴状の空間であり、カバー本体２のうち収納空間３に対応する部位の少なくとも一部には、当該収納空間３に沿って延びるスリット状の細隙部４が設けられている。細隙部４部は、収納空間３を開放可能とするスリットである。カバー本体２のうち細隙部４と反対側には、当該カバー本体２より剛性が大きいプレートを挟み込むように挟持可能な挟持部が設けられている。【選択図】図３
0003222762.tif 000002
【実用新案登録請求の範囲】
【請求項１】
ケーブルに着脱自在に装着されるケーブルカバーにおいて、
弾性変形可能な材質にて構成されたカバー本体であって、前記ケーブルを幅方向から挟み込んだ状態で当該ケーブルを収納する収納空間を有するとともに、当該収納空間の内壁が当該ケーブルに接触することにより当該ケーブルに装着されるカバー本体を備え、
前記収納空間は、前記カバー本体の一端から他端まで貫通する貫通穴状の空間であり、
前記カバー本体のうち前記収納空間に対応する部位の少なくとも一部には、当該収納空間に沿って延びるスリット状の細隙部であって、当該収納空間を開放可能とする細隙部が設けられており、
さらに、前記カバー本体のうち前記細隙部と反対側には、プレートを挟み込みようにして挟持可能な挟持部が設けられているケーブルカバー。
【請求項２】
前記挟持部は、前記カバー本体のうち前記細隙部と反対側の部位に設けられ、当該部位から突出した弾性変形可能な壁状の突条であって、前記プレートの外周縁全域に接触可能であり、
さらに、前記挟持部は、前記カバー本体との一体成形部分である請求項１に記載のケーブルカバー。
【請求項３】
前記細隙部は、前記カバー本体の一端から他端まで延びている請求項１又は２に記載のケーブルカバー。
【請求項４】
前記収納空間のうち前記カバー本体の一端側には大径部が設けられ、前記収納空間のうち前記カバー本体の他端側には小径部が設けられており、
前記大径部は、前記小径部より幅寸法が大きく、かつ、前記大径部と前記小径部と境目には、段差部が設けられている請求項１ないし３のいずれか１項に記載のケーブルカバー。
【考案の詳細な説明】
【技術分野】
【０００１】
本開示は、ケーブルに着脱自在に装着されるケーブルカバーに関する。
【背景技術】
【０００２】
例えば、特許文献１に記載のケーブルカバーでは、動物を模したカバー本体に収納空間及びスリットが設けられている、収納空間は、ケーブルが収納される空間であって、当該動物の頭部から尻尾まで貫通する空間である。スリットは、収納空間全域に亘って当該収納空間に沿って延びる細隙である。
【０００３】
そして、当該ケーブルカバーにケーブルに装着する方法は、以下の通りである。
すなわち、当該ケーブルカバーを利用する者（以下、利用者という。）は、先ず、細隙を拡げるようにカバー本体を変形させる。次に、利用者は、拡大した細隙からケーブルを収納空間に押し込むように当該ケーブルを収納空間に挿入する。
【先行技術文献】
【特許文献】
【０００４】
【特許文献１】特許第６３３４７８９号公報
【考案の概要】
【考案が解決しようとする課題】
【０００５】
特許文献１に記載の考案では、利用者は、収納空間にケーブルを挿入することが可能な程度までカバー本体を変形させる必要がある。このため、カバー本体が容易に変形しない構成であると、ケーブルの挿入作業性が著しく低下する。しかし、カバー本体が容易に変形し得る構成であると、カバー本体がケーブルから容易に脱落してしまうおそれが高い。
【０００６】
本開示は、上記点に鑑み、ケーブルの挿入作業性の低下を抑制しつつ、カバー本体がケーブルから容易に脱落してしまうことを抑制可能なケーブルカバーの一例を開示する。
【課題を解決するための手段】
【０００７】
ケーブル（Ｃ１）に着脱自在に装着されるケーブルカバーは、例えば、以下の構成要件のうち少なくとも１つを備えることが望ましい。
すなわち、当該構成要件は、弾性変形可能な材質にて構成されたカバー本体（２）であって、ケーブル（Ｃ１）を幅方向から挟み込んだ状態で当該ケーブル（Ｃ１）を収納する収納空間（３）を有するとともに、当該収納空間（３）の内壁が当該ケーブル（Ｃ１）に接触することにより当該ケーブル（Ｃ１）に装着されるカバー本体（２）を備え、収納空間（３）は、カバー本体（２）の一端から他端まで貫通する貫通穴状の空間であり、カバー本体（２）のうち収納空間（３）に対応する部位の少なくとも一部には、当該収納空間（３）に沿って延びるスリット状の細隙部（４）であって、当該収納空間（３）を開放可能とする細隙部（４）が設けられており、さらに、カバー本体（２）のうち細隙部（４）と反対側には、プレート（６）を挟み込みようにして挟持可能な挟持部（５）が設けられていることである。
【０００８】
これにより、仮に、カバー本体（２）より剛性が大きいプレート（６）がカバー本体（２）に装着された状態では、当該カバー本体（２）は大きく変形し難い状態になる。そして、プレート（６）がカバー本体（２）に装着されていない状態では、当該カバー本体（２）は容易に変形可能な状態となる。
【０００９】
したがって、プレート（６）がカバー本体（２）に装着されていない状態であれば、利用者は、容易にケーブル（Ｃ１）をカバー本体（２）に装着でき得る。そして、ケーブル（Ｃ１）がカバー本体（２）に装着された後に、当該カバー本体（２）に当該プレート（６）が装着されると、カバー本体（２）がケーブル（Ｃ１）から脱落し難くなる。
【００１０】
なお、プレート（６）は、当該ケーブルカバー（１）に付属した部材、及び利用者が自ら準備した部材のいずれでもよい。因みに、上記のケーブルカバーでは、プレート（６）は、当該ケーブルカバーの構成要件ではない。また、プレート（６）は、利用者の好みに応じて写真やイラストが描かれたものであってもよい。
【００１１】
因みに、上記各括弧内の符号は、後述する実施形態に記載の具体的構成等との対応関係を示す一例であり、本開示は上記括弧内の符号に示された具体的構成等に限定されるものではない。
【図面の簡単な説明】
【００１２】
【図１】第１実施形態に係るケーブルカバーを示す図である。
【図２】第１実施形態に係るケーブルカバーを示す図である。
【図３】第１実施形態に係るケーブルカバーを示す図である。
【図４】第１実施形態に係るケーブルカバーを示す図である。
【図５】第１実施形態に係るケーブルカバーの使用説明図である。
【図６】第１実施形態に係るケーブルカバーの使用説明図である。
【図７】第２実施形態に係るケーブルカバーを示す図である。
【考案を実施するための形態】
【００１３】
以下の「考案の実施形態」は、本開示の技術的範囲に属する実施形態の一例を示すものである。つまり、実用新案登録請求の範囲に記載された考案特定事項等は、下記の実施形態に示された具体的構成や構造等に限定されるものではない。
【００１４】
なお、各図に付された方向を示す矢印及び斜線等は、各図相互の関係及び各部材又は部位の形状を理解し易くするために記載されたものである。したがって、本開示に示された考案は、各図に付された方向に限定されるものではない。斜線が付された図は断面図を示すものではない。
【００１５】
少なくとも符号が付されて説明された部材又は部位は、「１つの」等の断りがされた場合を除き、少なくとも１つ設けられている。つまり、「１つの」等の断りがない場合には、当該部材は２以上設けられていてもよい。本開示に示されたケーブルカバーは、少なくとも符号が付されて説明された部材又は部位等の構成要素を備える。
【００１６】
（第１実施形態）
１．ケーブルカバーの概要
本実施形態は、スマートフォン用の通信・充電ケーブルに適用されるアクセサリーに本開示に係るケーブルカバーの一例が適用されたものである。本実施形態に係るケーブルカバー１は、図１に示されるように、ケーブルＣ１のコネクタＣ２側に着脱自在に装着されることが想定されている。
【００１７】
ケーブルＣ１は、図２に示されるように、コードＣ３及びコネクタＣ２等を有する。コードＣ３は、可撓性を有する索状部である。コネクタＣ２は、コードＣ３の長手方向端部に設けられている。ケーブルＣ１は、コネクタＣ２を介してスマートフォン等の接続対象機器に接続される。
【００１８】
コネクタＣ２の幅寸法は、コードＣ３の幅寸法（直径寸法）より大きい。このため、コネクタＣ２とコードＣ３との境目は段差状になっている。なお、幅寸法とは、ケーブルＣ１の長手方向と直交する方向の寸法のうち最大寸法をいう。
【００１９】
２．ケーブルカバーの構成
＜カバー本体＞
ケーブルカバー１は、図３に示されるように、ケーブルＣ１に装着されるカバー本体２等を少なくとも備える。カバー本体２は、シリコン等の弾性変形可能な樹脂材にて構成されている。カバー本体２には、ケーブルＣ１が収納される収納空間３が設けられている。
【００２０】
収納空間３は、ケーブルＣ１を幅方向から挟み込んだ状態で当該ケーブルＣ１を収納するための空間である。具体的には、収納空間３にケーブルＣ１が収納された状態では、当該収納空間３の内壁がケーブルＣ１に接触する。
【００２１】
そして、当該内壁とケーブルＣ１との接触面に発生する摩擦力等により、カバー本体２が当該ケーブルＣ１に保持される。上記摩擦力は、カバー本体２がケーブルＣ１を幅方向から挟み込む力により発生する。
【００２２】
つまり、収納空間３にケーブルＣ１が収納された状態のカバー本体２は、ケーブルＣ１が収納されていない状態のカバー本体２に対して弾性的に変形した状態となる。そして、当該変形に伴って発生する復元力が上記「挟み込む力」の源である。
【００２３】
＜収納空間＞
収納空間３は、図３に示されるように、カバー本体２の一端から他端まで（図３では、上下方向に）貫通する貫通穴状の空間である。収納空間３には大径部３Ａ及び小径部３Ｂが設けられている。
【００２４】
大径部３Ａは、収納空間３のうちカバー本体２の一端側（図３では、上端側）に設けられた部位である。小径部３Ｂは、収納空間３のうちカバー本体２の他端側（図３では、下端側）に設けられた部位である。
【００２５】
そして、図４に示されるように、大径部３Ａの幅寸法は小径部３Ｂより幅寸法が大きく、かつ、大径部３Ａと小径部３Ｂと境目には、段差部３Ｃが設けられている。なお、本実施形態では、大径部３Ａの長手方向は、小径部３Ｂの長手方向寸法より小さい。長手方向寸法とは、収納空間３の延び方向（長手方向）と平行な部位の寸法である。
【００２６】
カバー本体２のうち収納空間３に対応する部位の少なくとも一部には、当該収納空間３に沿って延びる細隙部４が設けられている。当該細隙部４は、収納空間３を開放可能とするためのスリット状の開口である。
【００２７】
なお、本実施形態に係る細隙部４は、カバー本体２の一端から他端まで延びている。細隙部４の幅寸法は、コードＣ３の幅（直径）寸法より小さく、かつ、カバー本体２の一端から他端まで同一の寸法である。
【００２８】
＜挟持部＞
カバー本体２のうち細隙部４と反対側の部位には、図３に示されるように、挟持部５が設けられている。挟持部５は、プレート６（図６参照）を挟み込みようにして挟持可能な壁状の突条である。そして、挟持部５は、当該部位から細隙部４と反対向き（図３の手前側）に突出しているとともに、弾性変形可能である。
【００２９】
本実施形態に係る挟持部５は、プレート６の外周縁全域を囲むように当該外周縁全域に接触可能である。つまり、当該挟持部５は、異なる二方向（本実施形態では、直交する二方向）からプレート６を挟み込む。
【００３０】
さらに、本実施形態に係る挟持部５は、カバー本体２と共に樹脂にて一体成形されたカバー本体２との一体成形部分である。なお、本実施形態では、矩形状のプレート６の利用が想定されている。このため、挟持部５は、矩形枠状に構成されている。
【００３１】
本実施形態では、プレート６として、カバー本体２より剛性が大きい部材が使用されることが想定されている。なお、プレート６は、当該ケーブルカバー１に付属した部材、及び利用者が自ら準備した部材のいずれでもよい。また、プレート６は、利用者の好みに応じて写真やイラストが描かれたものであってもよい。
【００３２】
３．本実施形態に係るケーブルカバーの特徴
＜ケーブルカバーの装着方法＞
ケーブルカバー１、つまりカバー本体２にケーブルを装着する際には、利用者は、先ず、図５に示されるように、細隙部４の幅寸法が拡大するように、カバー本体２を変形させる。
【００３３】
次に、利用者は、細隙部４からケーブルＣ１を収納空間３に嵌め込む。このとき、利用者は、コネクタＣ２が大径部３Ａに嵌り込み、コードＣ３が小径部３Ｂに嵌り込むように、ケーブルＣ１を収納空間３に嵌め込むことが望ましい。
【００３４】
その後、利用者は、図６に示されるように、プレート６を矩形枠状の挟持部５に嵌め込む。挟持部５は、カバー本体２と同様に弾性的に変形可能である。このため、利用者は、挟持部５を変形させてプレート６を矩形枠状の挟持部５に嵌め込むことが可能である。
【００３５】
＜ケーブルカバーの特徴＞
プレート６の剛性が大きいので、プレート６がカバー本体２に装着された状態では、当該カバー本体２は大きく変形し難い状態、つまり細隙部４の幅寸法が拡大し難い状態になる。そして、プレート６がカバー本体２に装着されていない状態では、当該カバー本体２は容易に変形可能な状態となる。
【００３６】
したがって、プレート６がカバー本体２に装着されていない状態であれば、利用者は、細隙部４の幅寸法を拡大させるようにカバー本体２を変形させることにより、容易にケーブルＣ１をカバー本体２に装着でき得る。
【００３７】
そして、ケーブルＣ１がカバー本体２に装着された後に、当該カバー本体２にプレート６が装着されると、細隙部４の幅寸法が拡大するようにカバー本体２が変形することが規制されるので、カバー本体２がケーブルＣ１から脱落し難くなる。
【００３８】
本実施形態に係る挟持部５は、プレート６の外周縁全域に接触可能である。これにより、プレート６が確実に挟持される。さらに、挟持部５は、カバー本体２との一体成形部分である。これにより、ケーブルカバー１を製造する者は、弾性変形可能な挟持部５を容易にカバー本体２に設けることが可能となる。
【００３９】
細隙部４は、カバー本体２の一端から他端まで延びている。これにより、利用者は、ケーブルＣ１を容易にカバー本体２（収納空間３）に嵌め込むことが可能となる。
大径部３Ａは、小径部３Ｂより幅寸法が大きく、かつ、大径部３Ａと小径部３Ｂと境目には、段差部３Ｃが設けられている。これにより、収納空間３の段差部３Ｃに、コネクタＣ２とコードＣ３との段差が引っ掛かるように係止される。
【００４０】
（第２実施形態）
上述の実施形態に係る細隙部４は、カバー本体２の一端から他端まで延びていた。これに対して、本実施形態に係る細隙部４は、図７に示されるように、カバー本体２のうち収納空間３に対応する部位の一部のみに設けられている。
【００４１】
なお、図７では、小径部３Ｂ側に細隙部４が設けられている。しかし、本実施形態では、例えば、大径部３Ａ側に細隙部４が設けられた構成であってもよい。因みに、上述の実施形態と同一の構成要件等は、上述の実施形態と同一の符号が付されている。このため、本実施形態では、重複する説明は省略されている。
【００４２】
（その他の実施形態）
上述の実施形態では、プレート６が矩形状であったため、カバー本体２及び挟持部５が矩形状に構成されていた。しかし、本開示はこれに限定されるものではない。すなわち、当該開示は、例えば、プレート６が楕円状又は円形状である場合には、これに応じてカバー本体２及び挟持部５が楕円状又は円形状に構成されていてもよい。
【００４３】
上述の実施形態では、挟持部５が異なる二方向からプレート６を挟み込む構成であった。しかし、本開示はこれに限定されるものではない。すなわち、当該開示は、例えば、一方向又は三方向以上からプレート６を挟み込む構成であってもよい。
【００４４】
上述の実施形態では、挟持部５は、カバー本体２との一体成形部分であった。しかし、本開示はこれに限定されるものではない。すなわち、当該開示は、例えば、カバー本体２と別成形された挟持部５が接合等によりカバー本体２に一体化された構成であってもよい。
【００４５】
上述の実施形態に係る挟持部５は、カバー本体２のうち細隙部４と反対側に設けられていた。しかし、本開示はこれに限定されるものではない。すなわち、当該開示は、例えば、カバー本体２のうち細隙部４と同一側に挟持部５が設けられた構成であってもよい。
【００４６】
上述の実施形態では、収納空間３に大径部３Ａ及び小径部３Ｂが設けられていた。しかし、本開示はこれに限定されるものではない。すなわち、当該開示は、例えば、小径部３Ｂのみで収納空間３が構成されていてもよい。
【００４７】
上述の実施形態では、プレート６がケーブルカバー１の構成要件ではないものであった。つまり、プレート６は利用者が準備するものであった。しかし、本開示はこれに限定されるものではない。すなわち、当該開示は、例えば、プレート６がケーブルカバー１に付属した部材であってもよい。
【００４８】
さらに、本開示は、上述の実施形態に記載された開示の趣旨に合致するものであればよく、上述の実施形態に限定されるものではない。したがって、上述した複数の実施形態のうち少なくとも２つの実施形態が組み合わせられた構成、又は上述の実施形態において、図示された構成要件もしくは符号を付して説明された構成要件のうちいずれかが廃止された構成でもよい。
【符号の説明】
【００４９】
１… ケーブルカバー  ２… カバー本体  ３… 収納空間
３Ａ… 大径部  ３Ｂ… 小径部  ３Ｃ… 段差部
４… 細隙部  ５… 挟持部  ６… プレート
Ｃ１… ケーブル  Ｃ３… コード  Ｃ２… コネクタ
【図１】
0003222762.tif 000003
【図２】
0003222762.tif 000004
【図３】
0003222762.tif 000005
【図４】
0003222762.tif 000006
【図５】
0003222762.tif 000007
【図６】
0003222762.tif 000008
【図７】
0003222762.tif 000009